(57)【要約】      （修正有）【課題】空間等の温度調整等に係るエネルギー等のコスト低減方法を提供する。【解決手段】ペットボトル等の物質等を連結してその内部に地下５メートル程等の年間を通じて温度変化が少ない液体等（水等）を容易してそれを内部に電動ポンプ等でくみ上げるなどして流して外気温が高いとき低いときの内部の空調等にいかす。【選択図】なし【特許請求の範囲】
【請求項１】
ペットボトル状の資材等を連結等して人間等が通れるスペースを設けてそこを通って移動するとき等に内部温度調整をできるようにする。ペットボトル等の物質等を連結してその内部に地下５メートル程度等（あくまで目安）の年間を通じて温度変化が少ない液体等（水等）を用意してそれを内部に電動ポンプ等でくみ上げるなどして流して外気温が高いとき低いときの内部の空調等にいかす。地下水温も深度等によって年間で変動する深度があるがそれも空調等に最大限利用する。自然の外気温が５度程度だとして十分にこのような構造体によってシールドされていれば内部の空気温は流す水等が１５℃であれば時間とともにそれに近似していくので約２２℃にしたいときはあと約７℃分のエネルギーで空気温を維持でき５℃から上げるより効率性がいい。下げるときも同様のことがいえる。温泉等の熱水があればより空調等の温度を上げる際等にさらに効率的になる。ペットボトル状の物体等は用途を満たせば専用の資材等を使用することもできる。設置場所は地上地下半地下等用途によって選択できる。地下タンク等は温度などにより複数設置することもできる。ペットボトル等は水を流すために連結されている。そのためにはセロテープ上のもの等で固定して中をくりぬいたりしてある。液体等で外気との間に温度保持等のためのバリアーを構築することが構造上の目的等になってくる。このようなペットボトル等を利用して作った構造体によって温度調節されたスペースの内部にさらに液体を入れてそこに魚を飼育するとき等は魚の泳ぐスピードが速いときにはできるだけ流線形にして大きな円を描くよう等する。魚等の大きさに合わせて進行方向に対する幅を５０センチなどに設定すれば正面からぶつからないので安全である。またこういう構造体に高低差を設けて低い位置から電動ポンプ等で高い地点に液体等を移動させ魚等と接している液体等が入っているスペース内部に一定方向に水流を発生させることで衝突することを防止する。必要な一時には水流は停止させようにしておくこともできる。ペットボトル等の物質を使い構築したスペースに地下熱等を利用等した水等の液体等を流し循環させてその構造物の内部に育てる植物等の大きさによって無駄のないスペースを設けて植物等を設置して生育させて植物の世話等をする作業場まで外界と空気循環が限定コントロールされた状態でレールや車輪等を用いて移動させていくことにより花粉の交雑などを防ぎ種苗法等に対応する。外界と遮断されたスペースをペットボトル等を用いて構築してそれと植物等を育てているスペースとをハッチ付きで連結等させてそこに人などが入り空間をクリーンに出来ていることを確認したのち連結ハッチを開けてそこから内部のスペースにある植物等を人間が直接世話をしたりもしくは遠隔カメラ等を用いてマジックハンド等を用いて機械的に世話をする。作業場にレール等を利用して運ばれてきた植物等を遠隔でカメラ等で確認したり、また植物等の間引き等の作業等を設置してある機械によってＡＩ学習を通して自動的にできるようにする。ペットボトル等の物質等で構築したスペースに液体等を循環等させて地下タンクにある液体の温度をスペースの加温冷却に利用等する際スペース内部をさらに冷却加温する場合に循環する液体等を人工的に加温（石油ボイラー等の設備を使う）冷却（冷蔵庫等の設備液体窒素など）も当然できるが太陽光の熱を利用して温め太陽光蓄熱温水装置としてもペットボトル等で構築した物体を利用でき光熱費の節約にもなる。ペットボトル等で構築した物体の周りに太陽光等を集光したりして周りを機密性のある材質のアルミ等で保護し断熱材等を入れたりすれば保温効率等を上げることができる。ペットボトル等の材料を使用して構築した構造物に内部に適度にスペースを設けてそこに植物等を入れて生育させたりできるのであるがペットボトル等は内部には水等の液体を循環させその水は地下タンクからつないだパイプによって運ばれてきた場合は地下の温度をスペースの内部に伝えることになる。ペットボトル等で水等の温度媒介物質とスペースの間を遮断してシールドしている。ペットボトル等の中に地下の温度を利用した液体等を流さない場合にはその中に保温性のある物質や断熱性のある物質で覆うことによってスペースの内部をエアコンやボイラー設備などで人為的に温度調整した場合のエネルギーコストを抑えることができる。ペットボトル等で構築された物体の内部にスペースを設けるていたりする際スペースが何段かになっているときに下のスペースが上のスペースの内部に入れてある物体によって太陽光等が十分に届かない場合等にいったん適度な位置に集光した太陽光等を光ファイバーで必要箇所に伝達する方法や、鏡などを利用してペットボトル等で作った構築物の側面であるとか別の場所でもいいが、光が当たりやすいところに反射装置等（鏡など）を設置して光を屈折させたりしながら光の当たりやすいところからあたりにくいところまで導く。ペットボトル状のプラスティック状等の物体は透明にもできるので光を通して遮断はされているが開放的な空間を作ることができ内部に魚等を飼育等すればアートとしても使用できる。同様の構造等によってスペースの大きさを変えて大きくすれば内部にお湯等を入れたり他のレジャー施設等を作り自然と一体化したスペース等を構築できる。雨や風等を気にせずゆったりした温泉等を構築できる。スペースの内部の温度や流す水などの液体の温度はセンサー等で管理して自動的に電動ポンプ等の流量を変える等してエネルギーコストがちょうどいい状態にする。山間部に設置等した場合に近くにある木材等を利用すれば木材等の燃焼熱等を有効活用できる。このように出来るだけコストを省く等して市場競争力のある農作物等を生産してそれをもとにそれを貧しい若者等に無償で渡すもしくはその代わり一定のサービスを提供するような規約に基づいたクーポンのような証明書を発行する。生産やサービスにかかわるコストを大幅に削減できそれを特許権等としてそれを基盤としながらクーポンのような概念を構築していく。クーポンは概念の実体としてとらえることもできる。Ａという人物が農業生産場等のオーナーでレストランやレクリエーション施設等も所有していたとしてその利用料をこのようなクーポン等で管理してそれで日常のサービス業などの利用料として使える共同体のようなグループを行使して参加してくれる業者等を募る。Ａさん以外の経営者がいるレストランやレクリエーション施設等に対してもこのクーポンを利用できるように交渉する。レストランもレクリエーション施設も農作物を料理として出したり販売して対価を得ることができる。レクリエーション施設等は人件費がかなりかかる場合あってもこのクーポンにそういう契約のサービスを提供する内容のものが含まれていればそれを使うこともできる。レクリエーション施設等だけではなくサービス業等通常対価として円などの金銭で扱われているものであればこのクーポンで利用できるように努力する。Ａさんが経営者で通常のように円でサービスの対価を受け取った場合所得が発生してそれを行政なりが徴収して貧しい人に福祉で配るようなこともあると思うが（生活保護など）その役割をＡさんをはじめこのような仕組みに参加している人で賄っていくことでサービスを受けることの意味等人間の基本的なところに気づきこういう作業に伴う行政の税金も減らすことができる。人間生活の基本の食糧を確保してそれを基礎に生活できるようにする。Ａさんが管理しているとしてこの仕組みに農業者やサービス業者等が加入していくことより農業者等の生産者は市場でかなり安い相対価値の金銭しか得られないのではないかという不安から脱却できまたサービス提供者もこのクーポン制度に納得できるだけの社会的意義を感じる事ができる。所得再分配の制度を自ら構成して安定した社会を構築する。またこのクーポンは任意の意思によって成り立っているわけで参加するかしないかは自由なわけであるからＡさんも参加したい人がいた場合に参加を許可するかどうかを任意で選択できその条件の契約等も決めることができる。クーポンを換金することを許可するかはＡさんが決定できる。Ａさんを通じてしか換金できないようにすることもできる。Ａさんが換金するかどうかはＡさんの自由意志である。クーポン間でも内容が違う種類のクーポンをＡさんを通じて交換するようにするよう決めることもできる。Ａさんはクーポンを交換したり任意で自由にクーポンを新規発行したりできる権利も持てる。クーポンとは概念である。クーポンは紙ベースや電子化すること等もできる。電子化してＰＧＰ暗号などで暗号化してデータをデータベースで集中管理して物やクーポンやサービスのつながりをＡさんは把握することができる。このデータを外部公開するかはＡさんが自由に決める。信用関係で成り立つので第三者による干渉を防ぎ安定性を確保する。クーポンを仮想通貨に置き換えたとき通貨の価値をあらかじめクーポン当たり食べれるイチゴこれだけというように定めておくこともできる。仮想通貨の交換はＡさんを通じてしかできないように契約で定めることなどもできる。
【発明の詳細な説明】
【技術分野】
【０００１】地球環境
【背景技術】
【０００２】陸上養殖
【先行技術文献】
【特許文献】
【０００３】
【特許文献１】特許第６０９２４５４
【特許文献２】特開２０１６９−２１８７９
【非特許文献】
【０００４】
【非特許文献１】特開２０１８−９３８５２
【非特許文献２】特開６４４２４３９  東京大学  地温データ、公益社団法人日本地下水学会、京都大学  大阪ガス共同研究  熱エネルギーを太陽電池が効率よく発電できる波長の光に変換することに始めて成功。２０１６年１２月２４日ｓｃｉｅｎｃｅ  ａｄｖａｎｃｅｓ掲載  シリコンから作ったナノ共振器。  ｗｗｗ．ｋｙｏｔｏ−ｕ．ａｃ．ｊｐ  野菜の生育条件  ｗｗｗ．ａｔａｒｉｙａ．ｎｅｔ  太陽の恵みを利用した採光システムひまわり  ｗｗｗ．ｈｉｍａｗａｒｉ−ｎｅｔ．ｃｏ．ｊｐ  燃料の発熱量  ｗｗｗ．ｈａｋｋｏ．ｃｏ．ｊｐ
【発明の概要】
空間等の温度調整等に係るエネルギー等のコスト等を改善すること等
【発明が解決しようとする課題】
空間等の温度調整等に係るエネルギー等のコスト等を改善すること等。
【課題を解決するための手段】
ペットボトル状の資材等を連結等して人間等が通れるスペース等を設けてそこを通って移動等するとき等に内部温度調整等をできるようにする。    ペットボトル等の物質等を使って作った構造物によりスペースを作り内部の空気温等を適切に管理等する
【発明を実施するための形態】
【・・・・】
【実施例】
【産業上の利用可能性】    過疎地域でも自立した産業ができる。
【符号の説明】
【・・・・】
【受託番号】
【・・・・】
【配列表フリーテキスト】